(57)【特許請求の範囲】
【請求項１】
繰り出しローラが露出する固定壁と、固定壁側に付勢される可動壁を対向壁面とする媒体収容室を備え、固定壁と可動壁との間に収容された媒体を繰り出しローラに押し付けながら媒体収容室から繰り出し、
かつ、前記可動壁は、操作側端部およびその反対端部においてそれぞれ連結されるクロスリンクによって移動姿勢を保持される媒体繰り出し装置であって、
前記固定壁に隣接する側壁にはリンク装置が装着され、
該リンク装置は、
一端に可動壁の操作側端部の媒体収容室開放側ストローク終端近傍に位置する検知部を備えた第１回転リンクと、
該第１回転リンクの他端に一端が摺動、回転可能に連結され、他端には、可動壁の操作側端部の前記検知部への干渉により前記クロスリンクによって媒体収容室開放側ストローク終端近傍にガイドされた前記反対端部を媒体収容室開放側ストローク終端に引き寄せ、可動壁を固定壁に対して平行姿勢に移行させる可動壁呼び込み部が形成された第２回転リンクとを有して構成される媒体繰り出し装置。
【発明の詳細な説明】
【０００１】
【発明の属する技術分野】
本発明は媒体繰り出し装置に関するものである。
【０００２】
【従来の技術】
図７に通帳、単票などの媒体の発行ユニットに使用される媒体繰り出し装置の従来例を示す。この従来例において、媒体繰り出し装置は底壁４ａ、側壁４ｂ、固定壁２、および可動壁３により周囲を囲まれた媒体収容室４を備える。媒体は媒体収容室４内に立てた状態で収容され、収容状態において圧縮スプリング１０により付勢される可動壁３により対面する固定壁２側に押し付けられる。固定壁２には、繰り出しローラ１の一部が露出しており、繰り出しローラ１を回転させると、媒体は図７（ａ）において矢印で示すように、順次媒体収容室４から下方に繰り出される。
【０００３】
媒体収容室４内の媒体がなくなった場合には、可動壁３の上端を移動させて媒体収容室４内を広げ、媒体を供給する。
【０００４】
【発明が解決しようとする課題】
しかし、上記従来例において、媒体収容室４内に大量の媒体を供給するためには、可動壁３の移動距離も大きくなるために、圧縮スプリング１０の撓みも大きくなる。このため、可動壁３に加えられる反力も大きくなり、図７（ｂ）に示すように、可動壁３が傾いて媒体の供給操作がしにくくなるという問題がある。
【０００５】
本発明は、以上の欠点を解消すべくなされたものであって、媒体の供給操作性が良好な媒体繰り出し装置の提供を目的とする。
【０００６】
【課題を解決するための手段】
本発明によれば上記目的は、
繰り出しローラ１が露出する固定壁２と、固定壁２側に付勢される可動壁３を対向壁面とする媒体収容室４を備え、固定壁２と可動壁３との間に収容された媒体１１を繰り出しローラ１に押し付けながら媒体収容室４から繰り出し、
かつ、前記可動壁３は、操作側端部およびその反対端部においてそれぞれ連結されるクロスリンク２５によって移動姿勢を保持される媒体繰り出し装置であって、
前記固定壁２に隣接する側壁４ｂにはリンク装置５が装着され、
該リンク装置５は、
一端に可動壁３の操作側端部の媒体収容室４開放側ストローク終端近傍に位置する検知部６を備えた第１回転リンク７と、
該第１回転リンク７の他端に一端が摺動、回転可能に連結され、他端には、可動壁３の操作側端部の前記検知部６への干渉により前記クロスリンク２５によって媒体収容室４開放側ストローク終端近傍にガイドされた前記反対端部を媒体収容室４開放側ストローク終端に引き寄せ、可動壁３を固定壁２に対して平行姿勢に移行させる可動壁呼び込み部８が形成された第２回転リンク９とを有して構成される媒体繰り出し装置を提供することにより達成される。
【０００７】
媒体収容室４は対向する一対の側壁４ｂと、固定壁２、および可動壁３によって仕切られ、可動壁３は例えば圧縮スプリング１０により繰り出しローラ１の一部が露出する固定壁２側に付勢される。媒体１１は起立姿勢で媒体収容室４に収容され、背後を可動壁３に押されて繰り出しローラ１に所定の圧力で圧接する。媒体１１の補強は、可動壁３の操作側端部を固定壁２から離反する方向、すなわち、媒体収容室４開放側に移動させて媒体収容室４を広げて行われ、可動壁３をストローク終端近傍まで移動させると、リンク装置５が作動し、可動壁３の下端を移動させて可動壁３を鉛直起立姿勢に維持する。
【０００８】
したがってこの発明において、可動壁３が移動途中で傾いていても、ストローク終端位置では起立するために、媒体１１の補給スペースが確実に確保されることとなり、作業性が向上する。
【００１０】
【発明の実施の形態】
図２に通帳プリンタに使用される媒体繰り出し装置を示す。この実施の形態において、媒体繰り出し装置は、媒体収容室４と、媒体収容室４内の媒体１１を繰り出す繰り出し部１２と、繰り出された媒体１１を図示しない印字部に搬送する搬送部１３とを有する。
【００１１】
繰り出し部１２は、媒体収容室４の固定壁２に一部が露出する繰り出しローラ１を備える。媒体収容室４が中心に対して線対称位置に２カ所設けられるこの実施の形態において、繰り出しローラ１は各媒体収容室４の固定壁２に１個配置されており、図示しない制御部からの制御信号により動作する切り替え部１４により、いずれか一方が駆動される。
【００１２】
図３に示すように、切り替え部１４は一対のプランジャ１５と、該プランジャ１５により駆動ギア１６の回転軸周りに回転駆動されるアイドルギア１７とを有し、プランジャ１５により伝達ギア１８に噛み合うアイドルギア１７を選択することにより、伝達ギア１８を反対方向に回転させることができる。伝達ギア１８への伝達動力は伝達ギア１８と同軸に配置され、各繰り出しローラ１に対応するプーリ２１に巻装されるタイミングベルト１９を介して繰り出しローラ１に伝達される。各プーリ２１は回転方向がブレーキローラ２０により規制されており、プランジャ１５により選択された回転方向への回転が許容されるプーリ２１のみが回転し、該プーリ２１に連結される側の繰り出しローラ１だけが所定方向に回転駆動される。
【００１３】
搬送部１３は図４に示すように、駆動ギア１６に隣接して配置される搬送ローラ２２と媒体ガイド２３とを有し、繰り出し部１２から繰り出された媒体１１を引き受けて例えば印字部等の媒体処理部に搬送する。搬送ローラ２２は各媒体収容室４に対応して一対設けられ、同一の媒体ガイド２３に媒体１１を引き渡す。
【００１４】
図５に示すように、各媒体収容室４は、媒体１１を支承する底壁４ａ上に固定壁２、可動壁３、および側壁４ｂを立設して形成される。可動壁３は固定壁２に対面して配置され、ケース側板２４との間に介装される圧縮スプリング１０により固定壁２側に付勢される。縮退時のばね長を短くして装置全体をコンパクトにするために、圧縮スプリング１０のばね径は先端に行くに従って漸次縮径するように形成される。
【００１５】
可動壁３の上端（操作側端部）に形成された摘み片３ａを操作した際に可動壁３が傾斜することなく、起立、かつ平行姿勢を保持して移動することができるように、可動壁３と、可動壁３の背面に配置されるケース側板２４とは可動壁３の操作側端部と下端部（反対端部）でクロスリンク２５を介して連結される。クロスリンク２５は、２本のリンクプレート２５ａを中心部で回転自在に軸支して形成され、各リンクプレート２５ａの一端が可動壁３に、他端がケース側板２４に連結される。図５（ａ）において矢印で示すように、可動壁３の摘み片３ａをケース側板２４側に移動させると、各リンクプレート２５ａは、一端が摺動長孔２５ｂに沿って移動しつつ回転する。リンクプレート２５ａの回転に伴って可動壁３のリンクプレート２５ａとの各連結部はほぼ等量ケース側板２４側に移動するために、可動壁３は固定壁２との平行姿勢を保持しながらケース側板２４側に移動する。
【００１６】
また、媒体収容室４の側壁４ｂにはリンク装置５が設けられる。リンク装置５は、図６に示すように、第１回転リンク７と第２回転リンク９とからなり、可動壁３の開放側（固定壁２から遠ざかって媒体収容室４の容積を大きくする方向）ストローク終端近傍に配置される。このリンク装置５は左右、あるいは一方の側壁４ｂに設けられ、かつ、移動する可動壁３との干渉を防止するために、各側壁４ｂの外側面に配置される。
【００１７】
上記第１回転リンク７は、一端部に媒体収容室４側に飛び出す作動杆（検知部６）を備え、中心部において側壁４ｂに回転自在に軸支される。一方、第２回転リンク９は一端にフック状の可動壁呼び込み部８を備え、上記第１回転リンク７の下方に回転自在に軸支される。可動壁呼び込み部８は、図６（ａ）、（ｂ）に示すように、退避側回転ストローク終端において側壁４ｂに隠れており、図６（ｃ）に示す第２回転リンク９の作動側回転ストローク終端において側壁４ｂ下方から突出する。また、第２回転リンク９は、引っ張りスプリング２６により退避側回転ストローク終端側に付勢される。上記第１、第２回転リンク７、９は、第１回転リンク７側のピン７ａを第２回転リンク９の摺動長孔９ａに嵌合させることにより回転、摺動自在に連結される。
【００１８】
したがってこの実施の形態において、媒体収容室４内に収容されている媒体１１は、可動壁３による押し付け力により繰り出しローラ１により適宜の圧力で押し付けられており、繰り出しローラ１を駆動すると、順次媒体収容室４から繰り出されて媒体処理部に搬送される。媒体収容室４への媒体１１の補給は、摘み片３ａを操作して可動壁３を固定壁２から遠ざかる方向に移動させて行われる。可動壁３の上端の摘み片３ａを移動させると、クロスリンク２５装置の作用により、可動壁３全体がほぼ平行移動して媒体収容室４の容積が拡張される。大量の媒体１１を補給するに際して可動壁３を開放側ストローク終端まで移動させると、可動壁３の上端が第１回転リンク７の作動杆６に干渉した後、図６（ｂ）に示すように、該第１回転リンク７を支軸７ｂ周りに回転させる。第１回転リンク７の回転により、第２回転リンク９は支軸９ｂ周りに退避側から作動側回転ストローク終端近傍まで回転して可動壁呼び込み部８が側壁４ｂ下方から飛び出し、可動壁３の下端から側壁４ｂ側に突出した被押圧部３ｂを押し付ける。可動壁呼び込み部８による被押圧部３ｂの押し付け方向は、摘み片３ａの操作方向に一致しており、可動壁３の下端は鉛直姿勢となるまで強制移動させられる。この結果、可動壁３が開放側ストローク終端まで移動し、圧縮スプリング１０の反力が大きくなってクロスリンク２５装置のリンクプレート２５ａの連結部におけるクリアランスが集積して可動壁３が傾斜姿勢になっても、可動壁３の下端はリンク装置５により鉛直起立姿勢に修正されるために、媒体収容室４内に容易に大量の媒体１１を供給することができる。
【００１９】
【発明の効果】
以上の説明から明らかなように、本発明によれば、媒体の供給が容易なために、使い勝手を向上させることができる。
【図面の簡単な説明】
【図１】本発明を示す図である。
【図２】媒体繰り出し装置の全体図である。
【図３】切り替え部を示す図である。
【図４】搬送部を示す図である。
【図５】媒体収容室を示す図で、（ａ）は図２の５Ａ方向矢視図、（ｂ）は（ａ）の５Ｂ方向矢視図である。
【図６】リンク装置を示す図で、（ａ）は可動壁を移動させた状態を示す図、（ｂ）は検知部に可動壁が衝接した状態を示す図、（ｂ）は可動壁呼び込み部により可動壁が起立した状態を示す図である。
【図７】従来例を示す図である。
【符号の説明】
１        繰り出しローラ
２        固定壁
３        可動壁
４        媒体収容室
５        リンク装置
６        検知部
８        可動壁呼び込み部
９        第２回転リンク
１１      媒体
【図１】
0003807479.tif 000002
【図２】
0003807479.tif 000003
【図３】
0003807479.tif 000004
【図４】
0003807479.tif 000005
【図５】
0003807479.tif 000006
【図６】
0003807479.tif 000007
【図７】
0003807479.tif 000008